(57)【要約】【課題】電気自動車に適しており、簡単に集積でき、熱交換器領域を統合できるコンパクト熱交換器ユニットを提供する。【解決手段】本発明によるコンパクト熱交換器ユニットは、電気自動車用の空気調和装置内コンパクト熱交換器ユニット（１）において、冷媒を凝縮するための凝縮器領域が熱交換面として形成されており、冷媒用収集器としての高圧・冷媒収集領域（５）がプレート熱交換器内の熱交換器のプレートパケットとして統合された形で形成されている。【選択図】図１
2021531197.tif 000002
【特許請求の範囲】
【請求項１】
電気自動車用の空気調和装置内コンパクト熱交換器ユニット（１）において、冷媒を凝縮するための凝縮器領域（６）が熱交換面として形成されており、冷媒用収集器としての高圧・冷媒収集器領域（５）がプレート熱交換器の内熱交換器のプレートパケットとして統合された形態で形成されていることを特徴とするコンパクト熱交換器ユニット。
【請求項２】
前記凝縮器領域（６）の後ろに冷媒の超過冷却のための別の超過冷却領域（４）が接続された状態で形成されており、プレートパケットとしてコンパクト熱交換器ユニット（１）内に集積した状態で配列されていることを特徴とする請求項１に記載のコンパクト熱交換器ユニット。
【請求項３】
前記凝縮器（６）、前記超過冷却領域（４）及び前記高圧・冷媒収集器領域（５）がプレート熱交換器のプレートパケットとして並んで配列されており、冷媒は凝縮器領域（６）を貫流した後に高圧・冷媒収集器領域（５）内に案内され収集され、次いで超過冷却のため超過冷却領域（４）にガイドされることを特徴とする請求項２に記載のコンパクト熱交換器ユニット。
【請求項４】
前記高圧・冷媒収集器領域（５）が下から充電及び空になるように形成されていることを特徴とする請求項１に記載のコンパクト熱交換器ユニット。
【請求項５】
蒸発器領域（２）、内部熱交換器領域（３）及び凝縮器領域（６）がプレートパケットとして形成されており、一体型プレート熱交換器内に統合された状態で配列されていることを特徴とする請求項１に記載のコンパクト熱交換器ユニット。
【請求項６】
フィルター及び又は乾燥器（２４）及び／又は膨張弁（９）がコンパクト熱交換器ユニット（１）内に集積した状態で形成されていることを特徴とする請求項１に記載のコンパクト熱交換器ユニット。
【請求項７】
蒸発器領域（２）、内部熱交換器領域（３）、超過冷却領域（４）、前記高圧・冷媒収集器領域（５）及び前記凝縮器領域（６）が、熱的に相互絶縁された状態で形成されており、各領域（２、３、４、５、６）の間に絶縁プレート（１６）が配列されていることを特徴とする請求項１に記載のコンパクト熱交換器ユニット。
【請求項８】
蒸発器領域（２）、内部熱交換器領域（３）、超過冷却領域（４）、前記高圧・冷媒収集器領域（５）及び前記凝縮器領域（６）の間には、伝達チャンネル（１７）がコンパクト熱交換器ユニット（１）の下部面から上部面へ冷媒を案内するためのプレート熱交換器のプレートパケットとして配列されていることを特徴とする請求項１に記載のコンパクト熱交換器ユニット。
【請求項９】
前記プレートパケットと蒸発器領域（２）、内部熱交換器領域（３）、超過冷却領域（４）、前記高圧・冷媒収集器領域（５）及び前記凝縮器領域（６）の各領域が互いにはんだ付けされていることを特徴とする請求項１に記載のコンパクト熱交換器ユニット。
【請求項１０】
前記プレート熱交換器のプレートがリブ（２６）を備え、前記リブはオフセット・デザイン、ディンプル・デザイン又はシェブレン・デザインで形成されており、オフセット・デザインで形成されたリブは、２つのプレート間に挿入プレート（２７）として実装されていることを特徴とする請求項１に記載のコンパクト熱交換器ユニット。
【請求項１１】
前記高圧・冷媒収集器領域（５）内のプレート熱交換器のプレートがオフセット・デザインで形成された挿入プレート（２７）としてのリブを備え、前記挿入プレート（２７）は高圧・冷媒収集器領域（５）の容積を拡大するためのリセス（２８）を備え、前記リセスは穀類構造、モミ構造又は長孔構造を有し、前記挿入プレート（２７）は複数の接触点を通じてプレートと接続されていることを特徴とする請求項１０に記載のコンパクト熱交換器ユニット。
【請求項１２】
プレートが互いに並んで配列された場合には、高圧・冷媒収集器領域（５）の容積を拡大するためのリセス（２８）を有する前記挿入プレート（２７）の構造が圧力強度の改善のために交換されることを特徴とする請求項１１に記載のコンパクト熱交換器ユニット。
【請求項１３】
内部熱交換器領域（３）内にあるプレート熱交換器のプレートが低圧側にはディンプル・デザインで形成されたリブを備え、高圧側にはオフセット・デザインで形成された挿入部としてのリブを具備することを特徴とする請求項１に記載のコンパクト熱交換器ユニット。
【請求項１４】
凝縮器領域（６）内にそして超過冷却領域（４）内にあるプレートがオフセット・デザインで形成された挿入部としてのリブ及び／又はシェブロン・デザインで形成されたリブを具備することを特徴とする請求項１に記載のコンパクト熱交換器ユニット。
【請求項１５】
蒸発器領域（２）内にあるプレート熱交換器のプレートがディンプル・デザインで形成されたリブを具備することを特徴とする請求項１に記載のコンパクト熱交換器ユニット。
【請求項１６】
蒸発器領域（２）、内部熱交換器領域（３）、超過冷却領域（４）、前記高圧・冷媒収集器領域（５）及び前記凝縮器領域（６）のプレートパケットが２重、３重または４重パイプを有するセクションをチャネル（２５）として具備することを特徴とする請求項１に記載のコンパクト熱交換器ユニット。
【請求項１７】
冷媒循環系を備え、前記冷媒循環系が圧縮機（７）、膨張弁（９）そして蒸発器としての２つ以上の熱交換器及び凝縮器を備え、空気調和モジュールの空気調和ユニット（１４）に冷却水を供給するための冷却水循環系（８）用連結部及び空気調和モジュールに冷媒を冷却させるための冷却水循環系（１２）用連結部が形成されており、電気車両用の空気調和モジュールにおいて、
前記熱交換器がコンパクト熱交換器ユニット（１）内熱交換器領域として統合された状態で形成されており、前記コンパクト熱交換器ユニット（１）が一体型のプレート熱交換器として形成されていることを特徴とする空気調和モジュール。
【請求項１８】
前記冷却水循環系（１２）が空気調和ユニット（１４）に熱を供給するために接続された状態で具備されていることを特徴とする請求項１７に記載の空気調和モジュール。
【請求項１９】
前記圧縮機（７）が電気式圧縮機として実装されており、前記空気調和モジュールが電気式連結部を具備することを特徴とする請求項１７に記載の空気調和モジュール。
【請求項２０】
Ｒ１３４ａ、Ｒ１５２ａ、Ｒ１２３４ｙｆ、Ｒ１２３４ｚｅ、Ｒ７４４、プロパン、プロピレン又はアンモニアが冷媒循環系内で冷媒として使用できることを特徴とする請求項１７に記載の空気調和モジュール。
【請求項２１】
前記冷却水循環系（１２）が低温熱交換器（１１）を具備することを特徴とする請求項１７に記載の空気調和モジュール。
【請求項２２】
前記冷却水循環系（８）が空気調和ユニット（１４）横でバッテリー冷却循環系（１０）と直列に又は並列に接続されていることを特徴とする請求項１７に記載の空気調和モジュール。
【請求項２３】
前記バッテリー冷却循環系（１０）が冷媒循環系内部でコンパクト熱交換器ユニット（１）の蒸発器領域（２）に対して並列に接続された状態で形成されていることを特徴とする請求項２２に記載の空気調和モジュール。
【請求項２４】
乾燥機（２４）がコンパクト熱交換器ユニット（１）の冷媒出口において、別に仕上がるそして組み立てられる要素として実装されていることを特徴とする請求項１７に記載の空気調和モジュール。
【発明の詳細な説明】
【技術分野】
【０００１】
本発明は、電気自動車用コンパクト熱交換器ユニット及び空気調和モジュールに関し、より詳細には電気自動車用に適合するコンパクト熱交換器ユニット及び空気調和モジュールに関する。
【０００２】
ここで空気調和モジュールは、空気調和ユニットで車両室内の空気を調和させるための熱気及び又は冷気を発生する装置である。空気調和モジュールは、圧縮機を使用する電気自動車の冷媒循環系のあらゆる構成要素をすべて備えるように設計される。
【０００３】
従来は、主に空冷式凝縮器が自動車空気調和システムに使われている。このような状況は、空気冷却機が、冷房設備作動のための熱放出に有利であることに関連している。
【０００４】
しかし、空気調和モジュールの水冷式凝縮器も知られており、空気冷却と異なる液体冷却による熱交換の高い効率により、液体冷却された凝縮器を小型化できる可能性も出てくる。
【０００５】
車両空気調和分野における水冷式凝縮器の短所は、追加の冷却水循環系が増えて、コストが増加することにある。一方、空冷式凝縮器は、機関室内に追加の装置がなく、燃焼機関の冷却器に対して平行に位置決めでき作動できる。
【０００６】
空冷式凝縮器と水冷式凝縮器の両方を備えた空気調和システムの短所は、個別の構成要素が、車両内部の多様な場所で行われるため、車両組立工程の中で、これらの構成要素が、部分的に複雑な組み立てシーケンスになることである。
【０００７】
しかしながら、簡単に装着でき、かつ、補修のために簡単に交換又は交換ができる空気調和モジュール及びコンパクト熱交換器ユニットを提供することが望まれる。
【発明の概要】
【発明が解決しようとする課題】
【０００８】
本発明の目的は、特に電気自動車向けに適合し、電気自動車の構成要素の周辺に簡単に集積できる空気調和モジュールを提供することにある。
【０００９】
本発明のもう一つの課題は、コストを低減した製造が可能で、省スペースに実装された様々な熱交換器領域を統合できるコンパクト熱交換器ユニットを提供することにある。
【課題を解決するための手段】
【００１０】
本発明によるコンパクト熱交換器ユニットは、電気自動車用の空気調和装置内コンパクト熱交換器ユニット（１）において、冷媒を凝縮するための凝縮器領域（６）が熱交換面として形成されており、冷媒用収集器としての高圧・冷媒収集器領域（５）がプレート熱交換器の内熱交換器のプレートパケットとして統合された形態で形成されていることを特徴とする。（請求項１）
【００１１】
これによれば、冷媒凝縮機能及び冷媒収集器能は、冷媒循環系の高圧側では構造的にコンパクト熱交換器ユニットの一構成要素内に配列されており、これにより結果的には構成要素内部に集積している。このような構成では、コンパクト熱交換器ユニットが特に好ましく液体冷却され、そして特に水冷された凝縮器として空気調和装置内に使用されることができる。プレート熱交換器は本発明によれば、機能に応じて領域に統合されるプレートパケットとして行われる。これにより、凝縮器領域は冷媒の凝縮が行われる熱交換面の領域となる。凝縮器領域は相応の大きさのプレートパケット及び熱交換面として形成され、高圧・冷媒収集領域のプレートパケットと共に一つの一体型プレート熱交換器で結合される。プレートパケットの熱交換器プレートは、熱交換特性を改善するためのリブまたは薄板を具備して実装される。
【００１２】
特別なメリットは、レシーバとも呼ばれる高圧・冷媒収集領域が構造的にコンパクト熱交換器ユニット内に集積していることである。レシーバは、好ましくは、冷媒循環系内において凝縮器領域の真後ろに配列されており、レシーバの後ろには、もう一つの好ましい実施例による凝縮物用超過冷却区間が連結される。
【００１３】
内部熱交換器の高圧側が超過冷却区間に連結される。コンパクト熱交換器ユニットの構成要素内に又は対案的にコンパクト熱交換器ユニット外部に配列された弛緩機関及び蒸発器そして内部熱交換器の低圧側が以下の実施例で更に説明されるように冷媒循環系内で連続する。
【００１４】
前述のように、凝縮器領域、超過冷却領域、高圧・冷媒収集器領域及び内部熱交換器領域を有するコンパクト熱交換器ユニットの構成では、高圧・冷媒収集器領域が対案的に好ましくは別の高圧・冷媒収集器として実装されている。
【００１５】
凝縮器領域の裏には、冷媒の超過冷却のための別の超過冷却領域が接続された状態で形成されており、追加のプレートパケットとしてコンパクト熱交換器ユニット内に集積した状態で配列されていることを特徴とする。（請求項２）
【００１６】
凝縮器領域、超過冷却領域及び高圧・冷媒収集領域の配列は好ましく並んで行われ、この場合、これらの領域はプレート熱交換器のプレートパケットとして実装され、冷媒はまず凝縮器領域に到達し、ここから直接的な連結を通じて高圧・冷媒収集器領域に到達し、冷媒が収集された後に超過冷却領域にガイドされることを特徴とする。（請求項３）
【００１７】
高圧・冷媒収集領域のプレートパケットは、プレート熱交換器内において凝縮器領域のプレートパケットと超過冷却領域のプレートパケットとの間に配列されている。
【００１８】
コンパクト熱交換器ユニットの高圧・冷媒収集領域は、下から充電及び空になるように形成されていることを特徴とする。（請求項４）
本実施例によれば、高圧・冷媒収集器領域は下から上へ液体冷媒で満たされ、この場合、液体冷媒はまた下から放出され、超過冷却領域内へ案内される。
【００１９】
蒸発器領域、内部熱交換器領域及び凝縮器領域がプレートパケットとして形成され、一体型プレート熱交換器内に統合された状態で配列されていることを特徴とする。（請求項５）
このような構成は、場合によって高圧・冷媒収集器領域分補完され、これによりコンパクト熱交換器ユニットは、冷房設備循環系のすべての熱交換器機能及び場合によっては追加で、収集器機能も有することになる。高い機能統合によって、特に空気調和モジュールの省スペースな構造方式が許容される。
【００２０】
高圧・冷媒収集領域は、別個の高圧・冷媒収集器として実装される。
【００２１】
冷媒用フィルター及び又は乾燥機、そして膨張弁がコンパクト熱交換器ユニット内部に集積した状態で形成されていることを特徴とする。（請求項６）
【００２２】
熱力学的な観点から循環系の最大の効率を保証するために、好ましくは個別の熱交換器領域及び機能領域は、領域間にある絶縁プレートによって異なる温度レベルで相互に熱的に絶縁された状態で形成されていることを特徴とする。（請求項７）
適用例、温度レベル及び空間状況に応じて、少なくとも２つの又はそれ以上の領域が絶縁プレートによって相互に熱的に絶縁されている。この場合、絶縁プレートは、一領域から他の領域へ絶縁プレートを通過する熱通過過程を最小化するために、全く貫流が行われなかったり、空気又は窒素で満たされていたり、真空状態にあるプレートとして形成される。
【００２３】
好ましい一実施例によれば、コンパクト熱交換器ユニットの熱交換器領域及び又は機能領域の間に、冷媒をコンパクト熱交換器ユニットの下部面から上部面に案内するためのプレート熱交換器のプレートパケットとしての伝達チャンネルが配列されていることを特徴とする。（請求項８）
この場合、伝達チャネルは１以上のプレートからなり、２領域間で垂直方向に冷媒の案内を可能とし、その結果、一領域では冷媒が例えば床に収集され、伝達チャネルを介して上に案内され、次いで隣り合う領域において上から再度分配されることができる。
【００２４】
コンパクト熱交換器ユニットの特に望ましい一実施例は、冷媒の収集及び分配が個別領域内の同一側で行われず、むしろコンパクト熱交換器ユニットの対向側で行われる。この場合には、冷媒が例えば凝縮器領域の下部面から高圧・冷媒収集領域又は超過冷却領域の上部面にガイドされるしかない。このような過程は、好ましくはコレクタチャネルとしても呼ばれ、コンパクト熱交換器ユニット内部に集積された伝達チャネルを通じて行われ、コレクタチャネルは、プレート熱交換器内に伝達プレートとして実装され、コレクタチャネル内では冷媒がチャネル形態の空洞内において下から上へ又は場合によっては他の方式で迂回してガイドされる。
【００２５】
コンパクト熱交換器ユニットの領域の熱交換の課題に対応するため、冷媒は、集積した伝達プレートを介してプレート熱交換器内部において下から上へ又はその逆にガイドされる。
【００２６】
一般的に、冷媒の流れ及び冷却材の流れは、単一の又は多重の通過デザインからなることができる。
【００２７】
製造技術的に、個別領域及びプレートパケットは、好ましく互いにはんだ付けされていることを特徴とする。（請求項９）
【００２８】
本発明の課題は、コンパクトな独自構造により特に電気自動車用に適した空気調和モジュールによって解決される。空気調和モジュールは、空気調和モジュール内部で完全に閉鎖されている冷媒循環系を備え、この場合、連結ライン及び密閉式圧縮機としての圧縮機が相応に実現された場合には、空気調和モジュールを車内に装着する際、冷媒循環系の構成要素の間に冷媒連結部が作られる必要がない。
【００２９】
空気調和モジュールは、空気調和ユニットに冷却水を供給するために用いられる冷却水循環系用の２つの連結部を具備する。更に、空気調和モジュールは、冷媒の冷却のために用いられる冷却水循環系用の２つの連結部を具備する。冷媒循環系は、一以上の圧縮機、膨張弁、並びに冷媒の蒸発及び凝縮のための二つ以上の熱交換器を具備する。特別な方式で、空気調和モジュールは、熱交換器がコンパクト熱交換器ユニット内に熱交換器領域として統合された形で形成され、コンパクト熱交換器ユニットは、複数のプレートパケットからなる一体型のプレート熱交換器として形成されていることを特徴とする。（請求項１７）
【００３０】
本発明では、個別の熱交換器は、冷媒循環系の別途の構成要素として実装されておらず、空気調和モジュールの中核を形成する一体型プレート熱交換器内に統合された形で実装されている。これにより、結果的には、空気調和モジュール内部で冷媒循環系の個別構成要素の間に冷媒連結部を事前に製造することが可能となる。空気調和モジュールは、車両内に装着する際に連結され続けるべき冷却水循環系及び冷却水循環系のための前方流れ用連結部及び後方流れ用連結部をそれぞれ具備する。
【００３１】
このようにすることで、特に漏洩に安全なそして熱交換器をコンパクト熱交換器ユニット内に集積することで、特にコンパクトで省スペースな構成要素コンセプトが実現される。その結果、漏えいリスクが強く低減した状態で少ない冷媒充電量が実現する。
【００３２】
これにより、コンパクト熱交換器ユニットは、機能的にそして温度範囲に応じて分離された少数の区画からなるようになり、これらの区画は構造的にコンパクト熱交換器ユニットの空気調和モジュールの下部ユニット内に統合されている。
【００３３】
高圧・冷媒収集領域は、別容器として又はボトルとして実装されており、コンパクト熱交換器ユニット横で空気調和モジュール内に集積している。本実施例においても、媒連結部の形成は、簡単かつ費用的に有利でかつ誤りが発生しない組立を可能とするために、剛性で且つ事前に製造された形態で行われる。
【００３４】
好ましくは，冷媒循環系の追加構成要素が直接コンパクト熱交換器ユニット内に集積している。これらの追加の構成要素は、例えば、直接コンパクト熱交換器ユニット内に集積した形で形成されている、冷媒のためのフィルター及び又は冷媒のための乾燥機及び又は膨張弁である。
【００３５】
これらの構成要素は、コンパクト熱交換器ユニットの外部に配列されている。
【００３６】
コンパクト熱交換器ユニットの機能的に異なる領域の集積は、これらの領域が相互断熱した状態で形成された場合には、構成要素を別途形成する方式に比べて短所なく熱力学的に行われる。そのため、個別の領域間にはプレート熱交換器のそれぞれ一つの絶縁プレートが配列されており、これにより個別の領域は互いに対して相互に離隔された配列状態で、熱的に相互絶縁された状態で形成されている。隣り合う領域が著しい温度差をもたない限り，絶縁プレートは省略されることがある。
【００３７】
製造技術的に特に好ましくは、コンパクト熱交換器ユニットの領域が互いにはんだ付けされていることことを特徴とする。（請求項９）
結果として様々な循環系、すなわち冷却水又は冷却水循環系のみならず冷媒循環系も個別プレート、プレートパケット及び領域のはんだ付けによってそれぞれ互いに対し、そしてまた、周辺に対して特に漏洩に安全に実装される。
【００３８】
コンパクト熱交換器ユニットの熱交換特性は、好ましくはプレート熱交換器のプレートがリブを具備し、これらリブはオフセット・デザイン、ディンプル・デザイン又はシェブロン・デザインで形成されており、この場合、オフセット・デザインで形成されたリブは２つのプレート間に挿入プレート（２７）として具現されていることを特徴とする。（請求項１０）
【００３９】
この場合、高圧・冷媒収集器領域内のプレート熱交換器のプレートが、好ましくはオフセット・デザインにより形成された挿入部としてのリブを備え、挿入部は、高圧・冷媒収集器領域の容積を拡大するためのリセスを備えることを特徴とする。（請求項１１）
このリセスは穀類構造、モミ構造又は長孔構造を有する。なるべく圧力に強い形状にするため、この挿入部は、複数の接触点を通じてプレートと接続されている。
【００４０】
好ましくは、前記特性は、プレートが互いに並んで配列されている場合には、高圧・冷媒収集領域の容積を拡大するためのリセスを有する挿入部の構造が圧力強度の改善のために交換されることを特徴とする。（請求項１２）
これにより構造とパターンが重なり、その結果挿入部の間の連結部は様々な平面に置かれるようになり、このような状況は連結部用点の改善された分布を引き起こし、全体の構造をさらに均一に実現する。
【００４１】
好ましくは、内部熱交換器領域内にあるプレート熱交換器のプレートは、冷媒循環系の低圧側ではディンプル・デザインで形成されたリブを具備して実装され、前記リブが高圧側ではオフセット・デザインで形成された挿入部として実装されることを特徴とする。（請求項１３）
【００４２】
凝縮器領域及び超過冷却領域内にあるプレート熱交換器のプレートは、好ましくはオフセット・デザインにより形成された挿入部としてのリブを具備し、そして又はシェブロン・デザインにより形成されたリブとして具現されていることを特徴とする。（請求項１４）
その理由は、このようなデザインが高圧用により優れているからである。
【００４３】
それとは異なり、蒸発器領域内にあるプレート熱交換器のプレートは、好ましくはディンプル・デザインにより形成されたリブを具備することを特徴とする。（請求項１５）
その理由は、このようなデザインがより低い圧力用に適しているからである。
【００４４】
流体を貫流させるためのコンパクト熱交換器ユニットの領域のプレートパケットは、２重、３重または４重パイプを有するセクション内にチャネルとして形成されていることを特徴とする。（請求項１６）
これらのチャネルは、コンパクト熱交換器ユニット内部で流体の貫流を可能にする。このような貫流方式は、好ましい実施例として、例えばプレートパケットが互いに並んで配列されているが、流体ガイドが先にパケット上に飛び越し、次いで初めて流体が飛び越したパケット内部に逆に案内される。
【００４５】
乾燥機は、プレート熱交換器として形成されたコンパクト熱交換器ユニットの冷媒出口において、別個に出来上がるそして組み立てられる要素として実装されていることを特徴とする。（請求項２４）
これに対して、冷媒用の乾燥機がプレート熱交換器のプレート内に集積されているとしてもよい。
【００４６】
特に好ましくは、空気調和モジュールの廃熱の利用は、空気調和ユニットに熱を供給するための凝縮器の冷却水循環系が接続された状態で行われることを特徴とする。（請求項１７、１８）
この場合、冷媒の凝縮熱は、空気調和ユニット内部で必要に応じ、車両室内の加熱のための有効熱として利用されることができる。
好ましくは、圧縮機は電気式圧縮機として実装されていることを特徴とする。（請求項１９）
これによれば、空気調和モジュールは、組立て親和的に実装される一つの電気式連結部のみを具備すればよい。
【００４７】
冷媒としては、少ないＧＷＰ（Ｇｌｏｂａｌ    Ｗａｒｍｉｎｇ    Ｐｏｔｅｎｔｉａｌ：地球温暖化指数）を特徴とし、これで将来好ましく使用できる、Ｒ１３４ａ、Ｒ１５２ａ、Ｒ１２３４ｙｆ、Ｒ１２３４ｚｅ、Ｒ７４４、プロパン、プロピレンまたはアンモニアといった好ましく可燃性のまたは毒性の冷媒が冷媒循環系内に使用されることを特徴とする。（請求項２０）
【００４８】
好ましくは、空気調和モジュールの冷却水循環系は、低温熱交換器を備えることを特徴とする。（請求項２１）
この低温熱交換器は、冷媒の凝縮から由来する相対的に低い温度レベルの熱を低温熱交換器により周辺に放出する。
【００４９】
特に好ましくは、冷却水循環系は、空気調和ユニットの横でバッテリー冷却循環系と直列又は並列に接続されていることを特徴とする。（請求項２２）
これにより、空気調和モジュールによって供給される冷却水が１つの共同バッテリー冷却循環系内でバッテリーの冷却のために使用できる。  
【００５０】
それに対して代案として、バッテリー冷却循環系は、冷媒循環系内部でコンパクト熱交換器ユニットの蒸発器領域に対して並列に又は直列に接続された状態で形成されていることを特徴とする。（請求項２３）
この場合、冷媒は直接バッテリーまたはバッテリー冷却循環系の冷却のために用いられる。
【００５１】
本発明の好ましい実施例によれば、冷媒循環系の構成要素は、冷媒循環系が、熱ポンプモードでも作動できるように形成されている。
【００５２】
本発明による空気調和モジュールは、４つの水連結部、及び１つの電流連結部が提供される。これにより、コンパクトな構成とできる。冷媒循環系が冷媒側で圧縮機及び追加の構成要素と連結されていて完全に閉鎖されていることにより、結果的に冷媒を全くガイドしない空気調和モジュールは、冷媒循環系内部で空気調和モジュールを自動車内に組み立てる際に閉鎖される。これにより、空気調和モジュールは簡単に装着できる。ただし相対的に少ない冷媒充填量だけが必要である。熱交換器領域をコンパクト熱交換器ユニット内に集積する過程は漏洩のリスクが少ない状況で経済的に有利に行える。その理由は連結ラインが剛性に実装され、これにより漏洩の可能性が減ったためである。
【００５３】
コンパクト熱交換器ユニットは、要約的に、好ましくはレシーバ及び又は凝縮及び又は超過冷却及び絶縁が統合された水冷凝縮器の構成要素として、自動車の空気調和装置の冷媒循環系内の領域の間で使用される。この場合、構成要素は、内部熱交換器及び又は領域の間の絶縁部を具備して具現されることができる。さらに、構成要素は、好ましくは内部または外部膨張装置およびまたは領域の間にある絶縁部を具備して具現される。構成要素の１つの改善例では，蒸発器およびまたは領域間の絶縁部を具備して実現される。
【図面の簡単な説明】
【００５４】
【図１】コンパクト熱交換器ユニットを備えた空気調和モジュールの回路図である。
【図２】高圧・冷媒収集を備えたコンパクト熱交換器ユニットの図である。
【図３】コンパクト熱交換器ユニット内部に熱交換器領域、そして集積した高圧・冷媒収集器を備えた空気調和モジュールの図である。
【図４】コンパクト熱交換器ユニットを備え、バッテリー冷却が直接的に行われる空気調和モジュールの図である。
【図５】高圧・冷媒収集領域を有するコンパクト熱交換器ユニットの図である。
【図６】内部熱交換器及び高圧冷媒収集領域が集積した液体冷却凝縮器の図である。
【図７】外部高圧冷媒収集を有する液体冷却された凝縮器の図である。
【図８】伝達チャンネルを有するコンパクト熱交換器ユニットの図である。
【図９】乾燥器を有する液体冷却された凝縮器の図である。
【図１０】チャネルとしての三重パイプを有するプレートを側面図である。
【図１１】シェブロン・デザインで形成されたリブを有するプレートの図である。
【図１２】オフセット・デザインで形成されたリブを有するプレートの図である。
【図１３】ディンプル・デザインで形成されたリブを有するプレートの図である。
【図１４】リセスを具備し、オフセット・デザインで形成されたプレートの図である。
【図１５】リセスを具備し、オフセット・デザインで形成されたプレートの図である。
【図１６】リセスを具備し、オフセット・デザインで形成されたプレートの図である。
【図１７】リセスを具備し、オフセット・デザインで形成されたプレートの図である。
【発明を実施するための形態】
【００５５】
図１には、空気調和モジュールの回路図が図示されており、この空気調和モジュールの中心にコンパクト熱交換器ユニット（１）がある。コンパクト熱交換器ユニット（１）は、図面においてローマ式符号で表記された３つの熱交換領域に細分されている。このような細分は、詳細には蒸発器領域（２）（III）、内部熱交換器領域（３）（II）及び凝縮器領域（６）（I）に関連している。冷媒循環系内部にあるこれらの熱交換器能領域は、一つのコンパクト熱交換器ユニット（１）内に統合されている。コンパクト熱交換器ユニット（１）は少数の熱交換器プレートからなるプレート熱交換器として構成される。個別領域は、１つのプレートパケットに統合された複数のプレートから形成されている。
【００５６】
個別機能領域のプレートパケットは、一体型構成要素として形成された一つのプレート熱交換器内に統合されている。
【００５７】
凝縮器領域（６）は、コンパクト熱交換器ユニット（１）内部に液体冷却又は水冷された凝縮器として形成されている。
【００５８】
膨張装置は、構成要素内で（１）（II）と（２）（III）との間に又は別に配列されている。
【００５９】
空気調和モジュールの冷媒循環系は、通常の構成要素、すなわち圧縮機（７）、凝縮器領域（６）、内部熱交換器領域（３）、詳細に図示されていない膨張弁そして蒸発器領域（２）を含む。蒸発器領域（２）の後ろには、内部熱交換器（３）を介して圧縮機（７）側に通常の方式で冷媒循環系が接続される。図示された冷媒循環系の回路は内部熱交換器のための機能領域を含み、この機能領域はそれぞれのデザインにおいて全ての冷媒のために使用される必要がなく、これにより冷媒循環系内部で代案的な特性を有することになる。内部熱交換器領域（３）は、好ましくは、超過冷却カウンタフローとして接続されており、ＩＨＸとしても称される。
【００６０】
空気調和モジュールは、車両に冷気を供給し、場合によっては熱を供給し、この場合、冷房設備回路内で詳細に図示されないポンプを有する冷却水循環系（８）は、蒸発器領域（２）から空気調和ユニット（１４）内へ、そしてそこから冷却器・加熱器（１３）内へ移送される。冷却水循環系（８）が動作する場合に冷房設備回路内では、空気調和ユニット（１４）の熱交換器が冷却器（１３）として動作する。  追加の加熱が要求される車両作動状態では、空気調和ユニット（１４）が冷却水循環系（１２）を介して熱を供給されることにより、結果としてこの場合、空気調和ユニット（１４）の熱交換器は加熱器（１３）として動作することになる。冷却水循環系（１２）は、作動中に凝縮器領域（６）から由来する冷却水循環系（１２）の熱を吸収し、この熱が低温熱交換器（１１）を介して例えば周辺に放出される。
【００６１】
図２には、別の高圧・冷媒収集器領域（５）を用いるコンパクト熱交換器ユニット（１）を備えた空気調和モジュールが図示されている。コンパクト熱交換器ユニット（１）は、図示された実施例から機能的に分離された４つの熱交換器領域を具備する。熱交換器領域は、図１と対等な図面に応じた蒸発器領域（２）及び内部熱交換器領域（３）並びに凝縮器領域（６）である。熱交換のための追加の機能領域としては、超過冷却領域（４）がコンパクト熱交換器ユニット（１）の固有領域として機能的に分離された状態で形成されている。これらの領域は相互断熱されており、これらの領域の間に配列されている絶縁プレート（１６）によって分離されている。コンパクト熱交換器ユニット（１）内部で順に互いに連結されている個別領域の間に流体連結部が集積されていることにより、結果的に好ましい方式でコンパクト熱交換器ユニット（１）の機能領域の間では外部に置かれた連結ラインを見ることができない。このような状況が提供してくれる大きなメリットは、コンパクト熱交換器ユニット（１）内に集積した短い連結ラインによって漏洩のリスクが明らかに低下し、さらには空気調和モジュール内部に非常に組み立て親和的なコンパクト熱交換器ユニット（１）が提供されるという点である。冷媒循環系内にはまた、レシーバとしても呼ばれる高圧・冷媒コレクタ（１５）が配列されている。高圧・冷媒コレクタ（１５）は、図２による概略図におけるボトルの形態の別の構成要素として通常の方式で形成されている。冷媒循環系は圧縮機（７）及び膨張弁によって完全になり、膨張弁は内部熱交換器領域（３）と蒸発器領域（２）との間に膨張弁（９）として配列されている。冷媒連結ライン及び膨張弁（９）もコンパクト熱交換器ユニット（１）内に特別な方式でコンパクトに集積している。空気調和ユニット（１４）は、蒸発器領域（２）から図面に詳細に図示されていない冷却水ポンプを有する冷却水循環系（８）を通じて、車両室内空気を調和するための冷却水の供給を受ける。
【００６２】
図３には、コンパクト熱交換器ユニット（１）内部に追加の機能領域を具備する空気調和モジュールが図示されている。この場合には、図２に応じた空気調和モジュールに対する機能的な補完及び構造的な形成のため、高圧・冷媒収集器領域（５）としての高圧・冷媒収集器の機能領域がまたコンパクト熱交換器ユニット（１）内に集積した状態で形成されている。温度差が異なる熱交換器領域を相互に断熱させるために、機能領域間には再度絶縁プレート（１６）が配列されている。
【００６３】
図２と異なり、図３には低温熱交換器（１１）を有する冷却水循環系（１２）も図示されており、このような冷却水循環系は、凝縮器領域（６）及び冷却水循環系（１２）内部にある超過冷却領域（４）を低温熱交換器（１１）と連結させる。
【００６４】
最後に、図４には、コンパクト熱交換器ユニット（１）の構成においても２に類似して別の高圧・冷媒収集器（１５）によって動作する、コンパクト熱交換器ユニット（１）を有する空気調和モジュールが図示されている。図示された実施例では、追加のバッテリー冷却循環系（１０）が設けられており、この追加のバッテリー冷却循環系は冷媒を用いて車両制御要求条件に応じて電気自動車のバッテリーを直接冷却することができる。冷却水循環系（８）を有する空気調和ユニット（１４）が概略図示されているのに対し、冷却水循環系は、図４に明示的に図示されていない。
【００６５】
冷媒循環系によるバッテリーの直接的な冷却に対して代案的に、バッテリーはまた間接的に冷却水循環系（８）によっても冷却される。
【００６６】
究極的には、だたし、供給部及び排出部をそれぞれ１つずつ有する２つの水循環系のための連結部及び電気式圧縮機のための電子式連結部のみを具備する組立親和的な具現によって空気調和モジュールを形成することが特に望ましい。
【００６７】
図５には、３つのプレートパケットからなるコンパクト熱交換器ユニット（１）が図示されている。一プレートパケットは凝縮器領域（６）によって形成され、もう一つの一プレートパケットは超過冷却領域（４）によって形成されており、補完的にプレート熱交換器は高圧・冷媒収集器領域（５）のプレートパケットによって形成されている。個別プレートパケットはそれぞれ絶縁プレート（１６）によって熱的に相互絶縁されている。二つの熱交換器領域、凝縮器領域及び超過冷却領域（４）は、水冷された又は液体冷却された凝縮器として、及び超過冷却器として作用する。冷媒は、高圧状態の冷媒入口から凝縮器領域内へ上からヘッドから挿入され、下には冷却材入口から下から凝縮器領域内へ流入する冷却水とは反対の流れで流れる。凝縮された冷媒は、凝縮器領域（６）の床からこの床から垂直にコンパクト熱交換器ユニット内部に集積した冷媒ライン内部に高圧・冷媒収集器領域（５）まで到達し、上にラインから排出され、これにより高圧・冷媒収集器領域（５）を下から満たす。高圧・冷媒収集器領域（５）からは、液体冷媒が隣り合う超過冷却領域（４）へ案内され、前記超過冷却領域では液体冷媒がプレートパケットの底から排出され、上は超過冷却領域（４）のヘッド端部側へ流れ、ここから液体冷媒が高圧状態の冷媒出口（１９）を通って排出される。超過冷却領域（４）では、冷却材が下から上へそしてこれにより冷媒と反対方向に流れ、ヘッド端部から相当する冷却材ラインを介して冷却材出口（２１）まで凝縮器領域（６）に由来する冷却材とともに流れる。したがって、コンパクト熱交換器ユニット（１）は、第１段階では水冷された凝縮器として形成され、この凝縮器はレシーバとしても呼ばれる高圧・冷媒収集器領域（５）と組み合わされている。レシーバを水冷された凝縮器内部に集積することは、望ましい省スペースを誘導し、また、個別の構成要素間の冷媒連結及び冷却材連結を減少させるモジュール方式が適用され得る。二つの措置によって、全容積および費用を節約できる。
【００６８】
コンパクト熱交換器ユニット（１）内でプレートパケット内では様々な形のリブが使用される。これらのリブは様々なデザインで形成されているが、例えばオフセット・デザイン、ディンプル・デザイン、またはシェブロン・デザインで形成されている。これらのデザインは組み合わせられ得るが、例えば、高圧側ではオフセットピン又はシェブレンピンとして、そして低圧側ではディンプル・デザインとして実装され得る。集積した高圧・冷媒収集器領域（５）内においては、なるべく大きな冷媒貯蔵容積を可能にするため、オフセットピンチャネルが円形で、長孔形状で、蛇デザイン又はモミのデザインで形成されたリセスとして形成される。構成要素の安定性を高めるために、集積した高圧・冷媒収集器領域（５）内でリブのデザインが変わることがある。
【００６９】
図６には、コンパクト熱交換器ユニット（１）としての内部熱交換器を有する液体冷却された凝縮器が図示されている。コンパクト熱交換器ユニット（１）としてのプレート熱交換器は、図５に応じた実施例と異なり、図６ではプレートパケットとしての内部熱交換器領域（３）で補完される。、機能に応じて冷媒循環系の高圧領域から低圧領域への内部熱交換のために低圧状態の冷媒入口（２２）が内部熱交換器領域（３）の床に配列され、低圧状態の冷媒出口（２３）が内部熱交換器領域（３）のヘッド端部に配列されている。超過冷却カウンタの流れの本実施例では、冷媒の流れが反対方向の流れで実現されている。この目的のため、超過冷却領域（４）に由来する冷媒はヘッド端部から直接、内部熱交換器領域（３）のヘッド端部にガイドされ、床から高圧状態の冷媒出口（１９）を介してコンパクト熱交換器ユニット（１）から放出される。このような第２段階では、水冷された凝縮器がこれから内部熱交換器の集積及びレシーバの集積によってそして場合によってはさらに乾燥器（２４）の集積によってコンパクト熱交換器ユニット（１）に拡張される。蒸発器を除き、冷媒循環系のすべての熱交換器領域がコンパクト熱交換器ユニット（１）内部に集積されている。
【００７０】
望ましいのは、適用分野及び自動車内での空調装置の構造的な実装に伴い、コンパクト熱交換器ユニット（１）内部に冷気を形成するために図面に図示されていない蒸発器領域が集積していることである。  
【００７１】
図７は，図６による凝縮器に対する対案的な一実施例を示している。この場合、コンパクト熱交換器ユニット（１）は、凝縮器領域（６）、超過冷却領域（４）及び前記領域（６，４，３）が絶縁プレート（１６）によって相互に熱的に絶縁された内部熱交換器領域（３）からなる。高圧・冷媒コレクタ（１５）は、図６による実施例と異なり、外部コレクタとして実装されている。
【００７２】
図８には、２つの熱交換器領域及び冷媒のための収集器領域としての一機能領域を有するコンパクト熱交換器ユニット（１）が図５に応じた実施例と類似して図示されている。凝縮器領域（６）、超過冷却領域（４）そして高圧・冷媒収集器領域（５）はプレートパケットとして並べて配列され、一つのプレート熱交換器に統合されている。  凝縮器領域（６）と超過冷却領域（４）との間には伝達チャンネル（１７）が形成されており、この伝達チャンネル内では冷媒がコンパクト熱交換器ユニット（１）の下部面からコンパクト熱交換器ユニット（１）の上部面に案内される。この場合、冷媒は熱交換器領域の下部に収容収集され、水平に隣接する伝達チャンネル（１７）内部に移送され、この伝達チャンネル（１７）内では、冷媒が垂直に上にコンパクト熱交換器ユニット（１）の上部領域に移送される。上部領域では、冷媒が水平に相応する熱交換器領域内の分配器側に移送され、高圧・冷媒収集器領域（５）内で上部領域に分配される。伝達チャネル（１７）は、隣接する超過冷却領域（４）側には絶縁プレート（１６）によって熱的に絶縁された形で形成されており、それと異なり凝縮器領域（６）側には絶縁プレート（１６）が全く配列されていない。図示されたコンパクト熱交換器ユニット（１）内では、凝縮器領域（６）内への冷媒入口（１８）がプレート熱交換器のヘッドから上部領域で行われる。冷媒は下部領域で収集され、伝達チャンネル（１７）を介して垂直に上部領域に案内され、ここで冷媒は水平に高圧・冷媒収集器領域（５）内部に案内され、そこで分配される。高圧・冷媒収集器領域（５）の下部領域では、冷媒が収集され水平に超過冷却領域（４）の下部領域に案内され、ここで冷媒は分配され、上部領域から冷媒出口（１９）を通ってコンパクト熱交換器ユニット（１）を離れる。冷却材、通常、水又は水・グリコール・混合物は、凝縮器領域（６）及び超過冷却領域（４）の下部領域にある冷却材入口（２０）を通じてコンパクト熱交換器ユニット（１）に供給され、熱交換器領域の上部領域から収集され、冷却材出口（２１）を通じて放出される。伝達チャンネル（１７）の原理は、一領域の底から他の領域のヘッドへ流体を垂直に移送するために熱交換器プレート領域を用いることにあり、この場合には冷媒又は更に冷却材も伝達チャンネル内で移送され得る。この時、熱交換器プレート領域は必要な容積の流れに応じて一つの熱交換器プレートに減ることがある。使用例により、伝達チャンネル（１７）から隣り合う領域への熱伝達による熱力学的な短所を避けるため、伝達チャンネル（１７）用熱交換器プレートは側面から絶縁プレート（１６）によって制限されなければならない。
【００７３】
図９には、図面に詳細に図示されていない凝縮器領域のヘッドに高圧状態の冷媒入口（１８）を有するコンパクト熱交換器ユニット（１）が概略図示されている。冷却材は、コンパクト熱交換器ユニット（１）の底から冷却材入口（２０）を介して流入し、コンパクト熱交換器ユニット（１）のヘッドから冷却材出口（２１）を介して再度放出される。図示された実施例の特異性は、乾燥機（２４）のプレートデザインにあり、この乾燥機はコンパクト熱交換器ユニット（１）に直接配列されており、乾燥機のヘッド端部にはまた高圧状態の冷媒出口（１９）が配列されている。  これにより、別の乾燥機（２４）はコンパクト熱交換器ユニット（１）に集積した状態で形成されており、このような集積方式は、乾燥機（２４）の交換可能性がそれほど複雑でない前記のような構造的な分離形成によって可能であるという長所を有する。
【００７４】
コンパクト熱交換器ユニット（１）内での冷却材の好ましい流動形成は、単流形成であるが、この場合は、またコンパクト熱交換器ユニット（１）を具備する複流の形成も実現される。
【００７５】
冷媒流動は２つの流れで実現されているが、１つの流動は凝縮のため、そして１つの流動は超過冷却のために実現されており、この場合にはまた、伏流のデザインも可能である。凝縮の間、冷媒の好ましい流動はヘッドから床になり、伝達チャンネル（１７）内での冷媒の伝達のために２重又は３重パイプが使用されることがある。
【００７６】
図１０は、プレート熱交換器の一プレートを側面図で示す。プレートの下部領域には、超平面内部に進む３つのチャネル（２５）が図示されている。これらチャネル（２５）は、一つ以上の同軸二重パイプによって形成されている。図示された実施例は三重パイプを示し、三重パイプによっては最小直径を有するパイプ内部において、そして２本の追加パイプの間で図面に図示されたような計３本のチャンネル（２５）が形成される。代案として、チャネル（２５）はまた、並べて又はワンセグメントとしても実装され得る。実施例により、チャネル（２５）は、プレート熱交換器外部からパイプ又はチャネルを使用しなくても、流体がプレートパケット又は領域を介して貫流することを可能とする。これにより、チャネル（２５）がプレート熱交換器の内部に集積することにより、熱交換器の内部で予備製造された流体連結部による誤り組立を防止し、非常に堅固に実現できる特にコンパクトな構成要素が生成される。
【００７７】
図１１には、リブ（２６）を有するプレート熱交換器の一プレートが図示されており、この場合、図面の下部領域では２つのチャネル（２５）が見られる。リブ（２６）の構造は高圧にも適したシェブロン・デザインに相応する。
【００７８】
図１２には、リブ（２６）を有するプレート熱交換器の一プレートが図示されており、この場合、側面ではそれぞれ２つのチャネル（２５）が設けられるる。リブ（２６）の構造は、特に高圧に適したオフセット・デザインに相応する。特に、オフセット・デザインで形成されたリブ（２６）がプレート熱交換器の２つの側面プレートの間に挿入され、これらと連結され、好ましくはハンダ又は溶接される挿入プレート（２７）として実装されていることにある。熱交換流体は、側面プレート間で挿入プレート（２７）を通過して流れる。
【００７９】
図１３には、ディンプル・デザインとして称されるリブ（２６）を有するプレート熱交換器の一プレートが図示される。このデザインは、それぞれ隣り合うプレートとつながっているプレートの突起部形態の隆起部からなる。これにより、流動組立体としても作用する複数の連結点がプレートの表面にわたって現れることになる。ディンプル・デザインは、例えば、冷媒循環系の低圧側からより少ない圧力のために使用されることができる。
【００８０】
図１４乃至１７には、各図面に応じた変形例によって、図１１に応じたオフセット・デザイン挿入プレート（２７）の好ましい実施例が例示的に図示されている。挿入プレート（２７）は、側面プレート間の容積を拡大させるリセス（２８）を具備する。リセス（２８）は、コンパクト熱交換器ユニットの集積した高圧・冷媒収集器領域（５）内の挿入プレート（２７）内に構造物又はパターンとして形成される。  集積した高圧・冷媒収集器領域内部で冷媒貯蔵のためのマッチングする十分大きな容積を可能にするため、リセスは円形、長孔形状、蛇デザイン又はモミデザインで形成される。
【００８１】
図１４は、もみのデザインで形成されたオフセット・デザインの挿入プレート（２７）内のリセス（２８）を見せる。リセス（２８）は、チャネル（２５）用固定部間で挿入プレート（２７）の表面にわたって均一に分布配列されている。リセス（２８）の間隙幅は図示の通りおよそ３ｍｍである。
【００８２】
図１５は、オフセット・デザインの挿入プレート（２７）内のリセスを同様におよそ３ｍｍの幅を持つ斜めに進行するチャネルとして示している。
【００８３】
図１６は、長孔デザインで形成されたオフセット・デザインの挿入プレート（２７）内のリセス（２８）を示す。この場合にもリセス（２８）は、チャネル（２５）用固定部間で挿入プレート（２７）の表面にわたって均一に分布配列されている。本実施例は，長孔が縦方向に変位配列された並び替えを示し，この場合は，入れ替え並び替え又は横方向に並び替えが望ましい代案となる。
【００８４】
図１７は、オフセット・デザインの挿入プレート（２７）内の円形のリセス（２８）を直列に変位配列された状態で示す。
【産業上の利用可能性】
【００８５】
本発明は、特に電気自動車用のコンパクト熱交換器ユニット及び空気調和モジュールとして好適である。
【００８６】
空気調和モジュールとは，空気調和ユニットの部分として車両室内の空気を調和させる，熱気及び又は冷気を発生する装置である。空気調和モジュールは，冷媒循環系のあらゆる重要な構成要素を備え，電気圧縮機を望ましい電気自動車に使用できる冷媒循環系のあらゆる構成要素をすべて有する。
【符号の説明】
【００８７】
１    コンパクト熱交換器ユニット
２    蒸発器領域
３    内部熱交換器領域
４    超過冷却領域
５    高圧・冷媒収集器領域
６    凝縮器領域
７    圧縮機
８    冷却水循環系
９    膨張弁
１０    バッテリー冷却循環系
１１    低温熱交換器
１２    冷却水循環系
１３    冷却器・加熱器
１４    空気調和ユニット
１５    高圧・冷媒コレクタ
１６    絶縁プレート
１７    伝達チャンネル
１８    冷媒入口
１９    冷媒出口
２０    冷却材入口
２１    冷却材出口
２２    冷媒入口
２３    冷媒出口
２４    乾燥器
２５    チャネル
２６    リブ
２７    挿入プレート
２８    リセス
【図１】
2021531197.tif 000003
【図２】
2021531197.tif 000004
【図３】
2021531197.tif 000005
【図４】
2021531197.tif 000006
【図５】
2021531197.tif 000007
【図６】
2021531197.tif 000008
【図７】
2021531197.tif 000009
【図８】
2021531197.tif 000010
【図９】
2021531197.tif 000011
【図１０】
2021531197.tif 000012
【図１１】
2021531197.tif 000013
【図１２】
2021531197.tif 000014
【図１３】
2021531197.tif 000015
【図１４】
2021531197.tif 000016
【図１５】
2021531197.tif 000017
【図１６】
2021531197.tif 000018
【図１７】
2021531197.tif 000019
【国際調査報告】
2021531197.tif 000020
2021531197.tif 000021
2021531197.tif 000022
2021531197.tif 000023
2021531197.tif 000024
2021531197.tif 000025